(57)【特許請求の範囲】
【請求項１】
眼鏡のテンプル（２，２）と接続されるフレーム（１，１）と、該フレーム（１，１）から耳殻（７，７）の外側付け根に沿うように湾曲して、その先端部で耳朶（５，５）を表裏から挟持する耳朶拘束体（８，８）と、前記フレーム（１，１）と前記テンプル（２，２）とを任意の位置で連結固定する接続体（３，３）とを備え,前記耳朶拘束体（８，８）は、前記耳朶（５，５）の表裏から該耳朶（５，５）を挟持する、裏側のストッパー（１１，１１）と表側の保持体（１０，１０）とを備え、さらに前記ストッパー（１１，１１）と前記保持体（１０，１０）との間を架橋し、前記耳朶（５，５）の下端部を下方から拘束する湾曲部（９，９）を備えてなることを特徴とするモダンパーツ。
【請求項２】
前記接続体（３，３）が、加熱によって収縮するシュリンクチューブ（２０，２０）で形成され、該シュリンクチューブ（２０，２０）内に前記テンプル（２，２）と前記フレーム（１，１）とを挿入して平行に重ね合わせた状態で加熱収縮させることにより、前記テンプル（２，２）と前記フレーム（１，１）とを互いに圧着固定することを特徴とする請求項１に記載のモダンパーツ。
【請求項３】
前記接続体（３，３）が、前記フレーム（１，１）の先端部が挿入されたチューブ体（２１，２１）で形成され、該チューブ体（２１，２１）内に前記テンプル（２，２）を挿入して、該テンプル（２，２）の後端部と前記フレーム（１，１）の先端部とを突き合わせた状態で接着材（２４，２４）を充填して接合させることにより、前記テンプル（２，２）と前記フレーム（１，１）とを互いに連結固定することを特徴とする請求項１に記載のモダンパーツ。
【請求項４】
前記フレーム（１，１）には、眼鏡を装着する人の後頭部の形状に沿って後方斜め上方に伸びる固定具（６，６）が取り付けられていることを特徴とする請求項１乃至３の何れかの請求項に記載のモダンパーツ。
【請求項５】
前記フレーム（１，１）に、前記耳朶拘束体（８，８）を上下方向に回動させて、該耳朶拘束体（８，８）をテンプル（２，２）に折り重ねるヒンジ（１５，１５）が取り付けられていることを特徴とする請求項１乃至４の何れかの請求項に記載のモダンパーツ。
【請求項６】
前記湾曲部（９，９）がバネ部材で形成され、該バネ部材の挟み付ける力でもって、前記耳朶（５，５）の表裏を前記保持体（１０，１０）と前記ストッパー（１１，１１）とで押さえつけてなることを特徴とする請求項１乃至５の何れかの請求項に記載のモダンパーツ。
【請求項７】
前記耳朶拘束体（８，８）を前記フレーム（１，１）に対し、上下方向にスライド可能に取り付けてなることを特徴とする請求項１乃至６の何れかの請求項に記載のモダンパーツ。
【請求項８】
前記モダンパーツ（４，４）に、補聴器（１６，１６），イヤホーン（１７，１７），装飾品（１８，１８）が取り付け可能となっていることを特徴とする請求項１〜７の何れかに記載のモダンパーツ。
【請求項９】
請求項１乃至８の何れかの請求項に記載のモダンパーツ（４，４）が取り付けられてなることを特徴とする眼鏡。
【請求項１０】
前記眼鏡のテンプル（２，２）と接続された左右の前記モダンパーツ（４，４）が、前記フレーム（１，１）から前記耳朶拘束体（８，８）に至る部位で、眼鏡を装着する人の左右側頭骨（１２，１２）と左右乳様突起（１３，１３）とを左右から挟持する形状に形成されていることを特徴とする請求項９に記載の眼鏡。
【請求項１１】
デジタルカメラを使用して、請求項９に記載の前記眼鏡を装着する人の側頭部及び耳殻（７，７）をデータリングして前記眼鏡を装着する人の頭部の３Ｄイメージデータを形成し、該３Ｄイメージデータと予め製作しておいた仮想の前記眼鏡の３Ｄイメージデータとを合成させて前記眼鏡の３Ｄイメージを形状し、この３Ｄイメージに基づいて、眼鏡を装着する人の頭部に適合する眼鏡を製作する方法。
【発明の詳細な説明】
【技術分野】
【０００１】
本発明は、レンズのあるフロント部が重たくなった眼鏡を楽に装着することのできる新たなモダンパーツとそのモダンパーツと接続された眼鏡に関する。
【背景技術】
【０００２】
近年、種々の電子機器を眼鏡のフロント部に装着したウエアラブルタイプの眼鏡が多く提案されている。そのため、フロント部を支える鼻パッドへの負荷が増大しており、そうした眼鏡を長時間装着することが困難になりつつある。
この問題に対しては、例えば、下記特許文献に記載された鼻パットへの負荷を軽減させるものが解決手段の一つしてとして有望視されている。
【先行技術文献】
【特許文献】
【０００３】
【特許文献１】特開２０１４−９５８４９号公報
【特許文献２】特開２０１４−７１３９０号公報
【特許文献３】特許第４９０２８０５号
【発明の概要】
【発明が解決しようとする課題】
【０００４】
特許文献１と特許文献２は、本件出願人が出願した眼鏡ではあるが、ウエアラブル用として使用するには、さらなる改善が必要である。これに対し、特許文献３は、市販の眼鏡と接続できることから、フロント部の重い眼鏡の鼻パットへの負荷を軽減するには適する。しかし、この特許文献３の眼鏡では、鼻パッドのない眼鏡と、後頭部から前方へと、眼鏡の前後を逆向きにして、後頭部から前方へテンプル２，２を伸ばし、その先のモダン２２，２２を耳殻７，７の前方に回すようにした眼鏡保持具とを備えているから、後頭部に回した保持具が髪型を乱すだけでなく、悪い髪ぐせを付けるから、若者や女性からは、敬遠される虞がある。
【０００５】
本発明は、こうした問題を解決しようとするもので、フロント部が重たい眼鏡であっても、鼻パットに負担を掛けさせないモダンパーツ４，４と、そのモダンパーツ４，４が取り付けられた眼鏡を提供することを課題とする。
【課題を解決するための手段】
【０００６】
本発明に係るモダンパーツ４，４は、眼鏡のテンプル２，２と接続されるフレーム１，１と、該フレーム１，１から耳殻７，７の外側付け根に沿うように湾曲して、その先端部で耳朶５，５を表裏から挟持する耳朶拘束体８，８と、前記フレーム１，１と前記テンプル２，２とを任意の位置で連結固定する接続体３，３とを備えたことを特徴とする。この接続体３，３としては、例えば、加熱によって収縮するシュリンクチューブ２０，２０を用いることができる。使用に際しては、そのシュリンクチューブ２０，２０内に眼鏡のテンプル２，２とモダンパアーツのフレーム１，１とを挿入して平行に重ね合わせ、その状態でシュリンクチューブ２０，２０を加熱収縮させれば、モダンパーツ４，４と眼鏡のテンプル２，２とを互いに圧着固定させることができる。その状態でモダンパーツ４，４を耳殻７，７に装着し、耳朶拘束部８，８で耳朶５，５の表裏を挟持すれば、眼鏡のフロント部が耳殻７，７全体で支持されるから、フロント部の重い眼鏡であっても、長時間楽に装着しておくことができる。
【０００７】
この接続体３，３としては、前述のシュリンクチューブ２０，２０の他に、単なる樹脂製チューブ２１，２１又は金属であってもよい。このチューブ２１，２１を使用する場合は、チューブ２１，２１内に挿入されたテンプル２，２と前記フレーム１，１との間にできる隙間に接着剤２４，２４を充填してテンプル２，２とフレーム１，１とを最適な位置で固定する。その際、テンプル２，２のへの字に曲がった先端部のモダン２２，２２が邪魔になるときは、その先端部を適宜な長さで切断し、その切断端部とモダンパーツ４，４のフレーム１，１とを突き合わせた状態で、チューブ内で連結固定しても良い。  
【０００８】
前後方向に伸びる前記フレーム１，１には、眼鏡を装着する人の後頭部の形状に沿って、後方斜め上方に伸びる固定具６，６を取り付けるのが良い。この固定具６，６を取り付ければ、眼鏡のフロント部が下がることを阻止するだけでなく、眼鏡のフロント部を鼻骨から浮いた状態に保持することができるから、さらに楽に装着することができる。
【０００９】
前後方向に伸びる前記フレーム１，１には、前記耳朶拘束体８，８を上下方向に回動させるヒンジ１５，１５を設けるのが良い。これにより、眼鏡のテンプル２，２に取り付けられたモダンパーツ４，４をテンプル２，２と折り重なる方向に折り畳むことができるから、よりコンパクトに収めることができる。
【００１０】
耳朶拘束体８，８は、耳朶５，５の表裏から耳朶５，５を挟持する、裏側のストッパー１１，１１と表側の保持体１０，１０とを備える。さらに前記ストッパー１１，１１と前記保持体１０，１０との間を架橋して、耳朶５，５の下端部を下方から拘束する湾曲部９，９を設けている。これにより、モダンパーツ４，４を、イヤリングを耳朶５，５に装着する感覚で装着することができるから、眼鏡のフロント部が重たくても、耳殻７，７全体で眼鏡を保持して、鼻パットに負担を掛けずに楽に装着することができる。
【００１１】
耳朶拘束体８，８を構成する前記保持体１０，１０と前記ストッパー１１，１１とを、耳朶５，５を表裏から挟持するバネ部材で連結するのが良い。これにより、適宜な強さで耳朶５，５を挟持することができるから、眼鏡を装着した人の頭部が激しく揺れても、眼鏡が脱落する恐れはない。
【００１２】
人の耳の大きさ、形状は様々であるから、耳朶拘束体８，８を前記フレーム１，１に対して上下方向にスライド可能に取り付けるのが良い。そうすれば、耳朶５，５を下方から拘束するバネ部材からなる湾曲部９，９を、耳朶５，５に当接させることができる。
【００１３】
眼鏡のテンプル２，２に取り付けられる左右のモダンパーツ４，４は、各モダンパーツ４，４の前記フレーム１，１から耳朶拘束部に至る部位で、眼鏡を装着した人の左右側頭骨１２，１２と左右乳様突起１３，１３とを左右から挟持する形状に形成する。これにより、モダンパーツ４，４を耳殻７，７だけでなく、側頭骨１２，１２や乳様突起１３，１３にも密着させて、眼鏡の左右方向、上下方向のずれを防止することができる。
【００１４】
加えて、このモダンパーツ４，４は、日常使用している鼻パッド付眼鏡のテンプル２，２にも取り付け可能であるから、既存の眼鏡に補聴器１６，１６やイヤホーン１７，１７を取り付けても、鼻パットに負担を掛けずに使用することができる。また、ピアスやイヤリングの代わりに、耳朶拘束体８，８に装飾品１８，１８を着脱可能に取り付けてお洒落を楽しむことができるから、女性にも使用して貰えるファッション性に優れた眼鏡とすることができる。
【００１５】
さらに、前後方向に伸びるモダンパーツ４，４のフレーム１，１と眼鏡のテンプル２，２とをスライド可能に取り付けておけば、視力矯正の為に、レンズ部と目との間の角膜頂点間距離を、正確に調整して決めることができる、目に優しい眼鏡とすることができる。
【００１６】
このモダンパーツ４，４が取り付けられた眼鏡を製作するときは、デジタルカメラを使用して、前記眼鏡を装着する人の側頭部及び耳殻７，７をデータリングして該眼鏡を装着する人の頭部の３Ｄイメージデータを形成し、該３Ｄイメージデータと予め製作しておいた仮想の前記眼鏡の３Ｄイメージデータとを合成させて前記眼鏡の３Ｄイメージを形状し、この３Ｄイメージに基づいて、眼鏡を装着する人の頭部に適合した眼鏡を製作する。これにより、眼鏡を装着する、その人だけに適合する唯一の最適な眼鏡を提供することができる。
【発明の効果】
【００１７】
本発明のモダンパーツ４，４によれば、レンズだけの通常の眼鏡だけでなく、電子機器が装着されたフロント部の重い眼鏡であっても、それらの眼鏡全体を耳殻７，７全体で支持することができるから、鼻パットに負担を掛けずに長時間、楽に眼鏡を装着することができる。また、フロント部が軽い眼鏡であれば、鼻パットを取り除くこともできるから、鼻パットのない違和感のない眼鏡にすることができる。
【００１８】
本発明に係る接続部２３，２３としては、加熱によって収縮するシュリンクチューブ２０，２０又は単なる樹脂製チューブ又は金属性パイプを用いることができる。使用に際しては、そのチューブ又はパイプ内に眼鏡のテンプル２，２とモダンパアーツ４，４のフレーム１，１とを挿入して平行に重ね合わせ、その状態でモダンパーツ４，４と眼鏡のテンプル２，２とを互いに固定させることができる。その状態でモダンパーツ４，４を耳殻７，７に装着し、耳朶拘束部で耳朶５，５の表裏を挟持すれば、眼鏡のフロント部が耳殻７，７全体で支持されるから、フロント部の重い眼鏡であっても、長時間楽に装着しておくことができる。
【００１９】
本発明４の効果として、前後方向に伸びるフレーム１，１に、眼鏡を装着する人の後頭部の形状に沿って、後方斜め上方に伸びる固定具６，６を取り付ければ、眼鏡のフロント部が前傾するのを防止するから、眼鏡のフロント部を鼻骨から浮いた状態に保持することができる。
【００２０】
本発明５の効果として、前後方向に伸びるフレーム１，１に、前記耳朶拘束体８，８を上下方向に回動させるヒンジ１５，１５を取り付ければ、眼鏡のテンプル２，２に取り付けられたモダンパーツ４，４をテンプル２，２と折り重なる方向に折り畳むことができるから、眼鏡をコンパクトにして持ち歩くことができる。
【００２１】
本発明６の効果として、前記耳朶（５，５）の表裏から該耳朶（５，５）を挟持する耳朶拘束体８，８は、眼鏡を装着する人の耳の大きさ、形状は様々であるから、耳朶拘束体８，８を前記フレーム１，１に対して上下方向にスライド及び着脱可能に取り付けるのが良い。そうすれば、耳朶５，５を下方から拘束するバネ部材からなる湾曲部９，９を、耳朶５，５に当接させることができる。
【００２２】
本発明７の効果として、耳朶拘束体８，８を構成する保持体１０，１０とストッパー１１，１１とを、耳朶５，５を表裏から挟持するバネ部材で連結すれば、適宜な強さで耳朶５，５を挟持することができるから、眼鏡を装着した人が激しく運動しても、眼鏡を脱落させない効果がある。また、眼鏡の着脱時には保持体１０，１０を外側に曲げて広げ、耳朶５，５を適宜の位置で挟持することが可能であり、便利である。
【００２３】
本発明８の効果として、耳朶拘束体８，８を前記フレーム１，１に対して上下方向にスライド可能に取り付ければ、眼鏡を装着する人の耳の大きさ、形状に応じて、モダンパーツ４，４の大きさと、耳朶５，５の下部に当たる湾曲部９，９の位置を調整することができる。
【００２４】
本発明１０の効果として、眼鏡のテンプル２，２に取り付けられた左右のモダンパーツ４，４は、フレーム１，１から耳朶拘束部に至る部位で、眼鏡を装着した人の左右側頭骨１２，１２と左右乳様突起１３，１３とを左右から挟持するから、モダンパーツ４，４を耳殻７，７だけでなく、側頭骨１２，１２や乳様突起１３，１３にも密着させて、眼鏡の左右方向、上下方向のずれを防止することができる。
【００２５】
本発明１１の効果として、加えて、眼鏡を装着する人の頭部の３Ｄイメージデータを形成し、該３Ｄイメージデータと予め製作しておいた仮想の眼鏡の３Ｄイメージデータとを合成させて、製作する眼鏡の３Ｄイメージを形状し、この３Ｄイメージに基づいて眼鏡を製作するようにしたから、どのようなタイプの人でも、その人だけにぴったりの唯一の眼鏡を製作することができる。したがって、眼鏡のフロント部が重たくなっても、耳殻７，７と後頭部全体で眼鏡を支持するから、楽に長時間眼鏡を装着していくことができる。
【図面の簡単な説明】
【００２６】
【図１】本発明１の実施の形態の一例を示す側面図である。
【図２】本発明２の実施の形態の一例を示す説明図である。
【図３】本発明３の実施の形態の一例を示す説明図である。
【図４】本発明４の実施の形態の一例を示す斜視図、側面図である。
【図５】本発明５の実施の形態の一例を示す設明図である。
【図６】本発明５の実施の形態の一例を示す説明図、正面図である。
【図７】本発明１の実施の形態の一例を示す後面拡大図である。
【図８】本発明６の実施の形態の一例を示す側面図である。
【図９】本発明７の実施の形態の一例を示す斜視図である。
【図１０】本発明８の実施の形態の一例を示す斜視図である。
【図１１】本発明８の実施の形態の一例を示す斜視図、説明図である。
【図１２】本発明１０の実施の形態の一例を示す斜視図、後面図である。
【図１３】本発明１１の実施の形態の一例を示す説明図である。
【発明を実施するための形態】
【００２７】
以下、本発明に係るモダンパーツ４，４とそれを取り付けた眼鏡の実施形態の例を、図面を参照しながら説明する。
【実施例１】
【００２８】
そこで、本発明の請求項１記載のモダンパーツ（以下、本発明１と言う）は、眼鏡のテンプル２，２と接続されるフレーム１，１と、該フレーム１，１から耳殻７，７の外側付け根に沿うように湾曲して、その先端部で耳朶５，５を表裏から挟持する耳朶拘束体８，８と、前記フレーム１，１と前記テンプル２，２とを任意の位置で連結固定する接続体３，３とを備え、前記耳朶拘束体８，８は、前記耳朶５，５の表裏から該耳朶５，５を挟持する、裏側のストッパー１１，１１と表側の保持体１０，１０とを備え、さらに前記ストッパー１１，１１と前記保持体１０，１０との間を架橋し、前記耳朶５，５の下端部を下方から拘束する湾曲部９，９を備えてなることを特徴とするモダンパーツ。
【００２９】
実施の形態の一例として、第１ａ図は、本発明１の接続体３，３を備えた鼻パッド付の眼鏡をかけている人の側面図であり、第１ｂ図は、本発明１の接続体３，３でモダン２２，２２付テンプル２，２とフレーム１，１を重ねるようにして連結固定したことを示す側面図である。
【００３０】
接続体３，３内にテンプル２，２とフレーム１，１の上端部を重ねるように挿入し、連結固定している。フレーム１，１は、金属で形成され、眼鏡を装着する人の耳殻７，７の外側付け根に沿うように湾曲し、その先端部に設けた耳朶拘束体８，８は、耳朶５，５を表裏から挟持しているので、フロント部の重い眼鏡であっても、それらの眼鏡全体を耳殻７，７全体で支持することができるから、鼻パットに負担を掛けずに長時間、楽に眼鏡を装着することができる。また、フロント部が軽い眼鏡であれば、鼻パット及びモダン２２，２２を取り除くこともできるから、鼻パットのない違和感のない眼鏡にすることができる。
【００３１】
接続体３，３内に挿入したフレーム１，１又はテンプル２，２を、僅かにスライドさせて微調整して、適宜の位置で固定している。角膜頂点間距離を調整することは、眼鏡の装用者にとって最も重要なことであり、レンズの性能に大きく影響する。
【００３２】
実施の形態の一例として、第７図は、本発明１の耳朶拘束体８，８が、耳朶５，５の表裏から耳朶５，５を挟持する、裏側のストッパー１１，１１と表側の保持体１０，１０とを備え、さらにストッパー１１，１１と保持体１０，１０との間を架橋し、耳朶５，５の下端に接しながら、耳朶５，５全体を下方から拘束する湾曲部９，９を備えていることを示す耳の後面図である。
【００３３】
耳朶５，５は、側頭より僅かに突出して垂加した状態であり、一般的にピアス、イヤリングをする位置と言う認識があり、痛みを感じにくい場所でもある。耳の下方にある耳朶５，５は柔らかく浮いた状態であり、耳朶５，５の裏面と頭側の間には隙間が存在している。保持体１０，１０が耳朶５，５の表面に当接して耳朶５，５が押されても動かないようにするには、耳朶５，５の裏面の左右フレーム１，１の位置に、挟持ストッッパー１１，１１を設け、この挟持ストッパー１１，１１が耳朶５，５の裏面に当接しているので、挟持ストッパー１１，１１は固定される。さらにストッパー１１，１１と保持体１０，１０との間を架橋し、耳朶５，５の下端に接しながら、耳朶５，５全体を下方から拘束する湾曲部９，９を備えていることにより、モダンパーツ４，４全体で眼鏡を保持することができる。
【００３４】
耳朶５，５は、耳朶拘束体８，８が適宜の強さで拘束することには問題ない。耳朶拘束体８，８の形状は、人の耳朶５，５の形状が様々であり限定しない。耳朶５，５と同一色、同一形状にすることにより目立ちにくくできる。デザインによりイヤリングをしているように見える。髪の毛の多い人の場合、耳全体が髪の毛で隠されるので、どのような構成になっているか分からない。
【実施例２】
【００３５】
本発明の請求項２記載のモダンパーツ（以下、本発明２と言う）は、前記接続体３，３が、加熱によって収縮するシュリンクチューブ２０，２０で形成され、該シュリンクチューブ２０，２０内に前記テンプル２，２と前記フレーム１，１とを挿入して平行に重ね合わせた状態で加熱収縮させることにより、前記テンプル２，２と前記フレーム１，１とを互いに圧着固定することを特徴としている。
【００３６】
実施の形態の一例として、第２ａ図は、本発明２のモダンパーツ４，４の接続部２３，３をテンプル２，２の後端部と並行に重ねて、シュリンクチューブ２０，２０を加熱によって収縮させた側面図である。第２ｂ図は、本発明２のモダンパーツ４，４の接続部２３，２３の上にテンプル２，２が重ねられ、シュリンクチューブ２０，２０を加熱によって収縮させた説明図である。シュリンクチューブ２０，２０には、六分の一まで収縮する種類、内側に接着剤２４，２４の入った種類もあり、テンプル２，２の後端部とモダンパーツ４，４の接続部２３，２３の大きさが異なっても加熱によって収縮させ、密着させて圧着することができる。
【００３７】
実施の形態の一例として、第２ｃ図は、本発明２のモダンパーツ４，４の接続部２３，２３とテンプル２，２とを突き合わせ、シュリンクチューブ２０，２０を加熱によって収縮させて取り付けた状態を示す説明図である。第２ｄ図は、本発明２のモダンパーツ４，４の接続部２３，３とテンプル２，２が間隔を開けて突き合わせた場合であっても、シュリンクチューブ２０，２０を二重にして、加熱によって収縮させて強固に取り付けた状態を示す説明図である。
【００３８】
眼鏡は多品種あり、市販されているテンプル２，２の形状も様々である。この様々な形状のテンプル２，２に対応するためには、モダンパーツ４，４の接続部２３，２３の形状をテンプル２，２の形状に合致するように製作することもできる。どのような形状のテンプル２，２であっても、シュリンクチューブ２０，２０の種類も多く、適宜の大きさに収縮させることによって、テンプル２，２とモダンパーツ４，４の接続部２３，２３を密着させて連結できることは可能である。
【００３９】
シュリンクチューブ２０，２０の材質はポレオリフィン樹脂であり、当接感は良い。
モダンパーツ４，４の材質は、金属、シリコン、ＣＰ、ポリエステル、アセテート、ＰＶＣ、ポリアミド、ニュクレル、形状記憶樹脂、スポンジ、ベータプラスチックなどである。耳に当接する部分及び耳朶拘束体８，８耳朶５，５に当接する部分は肌触りの良い柔軟な素材が適している。
【実施例３】
【００４０】
本発明の請求項３記載のモダンパーツ（以下、本発明３と言う）は、前記接続体３，３が、前記フレーム１，１の先端部が挿入されたチューブ体２１，２１で形成され、該チューブ体２１，２１内に前記テンプル２，２を挿入して、該テンプル２，２の後端部と前記フレーム１，１の先端部とを突き合わせた状態で接着材２４，２４を充填して接合させることにより、前記テンプル２，２と前記フレーム１，１とを互いに連結固定することを特徴としている。
【００４１】
実施の形態の一例として、第３ａ図は、チューブ体２１，２１内に挿入されたテンプル２，２とフレーム１，１との間にできる隙間に接着材２４，２４を充填してテンプル２，２とフレーム１，１とを最適な位置で固定したことを示す説明図である。本発明３のチューブ体２１，２１は、単なる樹脂製チューブ２１，２１又は金属であってもよい。このチューブ２１，２１を使用する場合は、チューブ２１，２１内に挿入されたテンプル２，２とフレーム１，１との間にできる隙間に接着材２４，２４を充填してテンプル２，２とフレーム１，１とを最適な位置で固定する。その際、テンプル２，２のへの字に曲がった先端部が邪魔になるときは、その先端部を適宜な長さで切断し、その切断端部とモダンパーツ４，４のフレーム１，１とを突き合わせた状態で、チューブ２１，２１内で連結固定しても良い。  
【００４２】
実施の形態の一例として、第３ｂ図は、テンプル２，２の端部をチューブ体２１，２１の内径に合致するように加工して、チューブ体２１，２１内挿入して接着剤２４，２４で適宜の位置で固定している。第３ｃ図は、チューブ体２１，２１の内径と同一のテンプル２，２を連結固定したことを示している。第３ｄ図は、チューブ体２１，２１の内径がテンプル２，２の外形に合致していることを示している。このように様々な内径のチューブ体２１，２１で連結固定することができる。
【実施例４】
【００４３】
本発明の請求項４記載のモダンパーツ（以下、本発明４と言う）は、前記フレーム１，１には、眼鏡を装着する人の後頭部の形状に沿って後方斜め上方に伸びる固定具６，６が取り付けられていることを特徴としている。
【００４４】
実施の形態の一例として、第４ａ図は、本発明４の固定具６，６の下端をモダンパーツ４，４の上端に取り付けた眼鏡の斜視図であり、第４ｂ図は、本発明４の固定具６，６を取り付けた眼鏡を掛けている人の側面図である。本発明４のモダンパーツ４，４の上端部に取り付けた固定具６，６は頭の形状に沿って斜め上方に延設し、先端部が頭側に沿って、僅かに内側に湾曲することにより、左右側頭骨１２，１２を挟持することができるので、レンズ部が下がることを止め、浮いた状態を保持する補助的な役割をしている。
【実施例５】
【００４５】
本発明の請求項５記載のモダンパーツ（以下、本発明５と言う）は、前記フレーム１，１に、前記耳朶拘束体８，８を上下方向に回動させて、該耳朶拘束体８，８をテンプル２，２に折り重ねるヒンジ１５，１５が取り付けられていることを特徴としている。
【００４６】
実施の形態の一例として、第５ａ図は、本発明５のモダンパーツ４，４を接続部２３，２３に設けたヒンジ１５，１５により回動自在にしたモダンパーツ４，４の側面図であり、第５ｂ図は、モダンパーツ４，４を略１８０度後方に押し上げたことを示す側面図であり、第５ｃ図は、後方に押し上げたモダンパーツ４，４を、後方上方に略２７０度折り曲げて折り畳んだことを示す側面図である。第５ａ図で示すモダンパーツ４，４の位置でモダンパーツ４，４が内側下方に動かないように固定した場合は、モダンパーツ４，４の回転が後方上方に限定されるので、第５ｂ図で示すようにモダンパーツ４，４をテンプル２，２に折り重なる方向に略２７０度折り曲げて折り畳むことによって、従来の眼鏡の大きさになり、コンパクトにして持ち運ぶことができる。
【００４７】
実施の形態の一例として、第５ｃ図は、本発明５のモダンパーツ４，４を略水平に止めた状態を示している。この状態での作用効果を説明すると、左右テンプル２，２が左右のモダンパーツ４，４の長さだけ伸びているので、左右テンプル２，２全体が長くなる。この左右テンプル２，２で首を挟むようにして、レンズ部側が顎の下に来るように眼鏡全体を後方に動かして、左右のモダンパーツ４，４を両肩に乗せると眼鏡を肩にかけることができる。
【００４８】
実施の形態の一例として、第６ａ図は、本発明５のモダンパーツ４，４を接続部２３，２３に設けたヒンジ１５，１５により回動自在にした側面図であり、第６ｂ図は、モダンパーツ４，４を略９０度テンプル２，２に折り重なる方向に折り畳んだ側面図であり、第６ｃ図は、モダンパーツ４，４をテンプル２，２側に折り畳んだ後、テンプル２，２を内側のレンズ部側に折り畳んだ状態を示す正面図である。接続部２３，２３に設けたヒンジ１５，１５の部分にバネ丁番を取り付けるか、接続部２３，２３に摺動可能な係止具を取り付け、モダンパーツ４，４側にスライドさせることによって、その展開状態を保持させることができる。
【００４９】
かかる構成により、眼鏡を仕舞う時、モダンパーツ４，４を前方又は後方に回転させながら折り曲げて畳むことにより、従来のメガネと同じ大きさとなりケースに収まる。眼鏡を装着しない時は、左右モダンパーツ４，４を両肩に掛けておくと、眼鏡の置いた場所を探す必要がなく便利である。
【実施例６】
【００５０】
本発明の請求項６記載のモダンパーツ（以下、本発明６と言う）は、前記湾曲部９，９がバネ部材で形成され、該バネ部材の挟み付ける力でもって、前記耳朶５，５の表裏を前記保持体１０，１０と前記ストッパー１１，１１とで押さえつけてなることを特徴としている。
【００５１】
実施の形態の一例として、第８ａ図は、本発明６の保持体１０，１０とストッパー１１，１１が、耳朶５，５をバネ１４，１４で付勢していることを示す斜視図であり、第８ｂ図は、本発明６のバネ１４，１４を取り付けたモダンパーツ４，４の斜視図である。耳朶５，５に当接した保持体１０，１０と協働するストッパー１１，１１がバネ１４，１４で付勢され、ストッパー１１，１１と保持体１０，１０との間を架橋している湾曲部９，９が、耳朶５，５全体を下方から拘束するので確実に挟持できる。様々な人の耳朶５，５に対応するように、バネ１４，１４を適宜の強さに調整することが可能である。バネ１４，１４の材質は弾力性を有するプラスチック、シリコン、ゴムが良い。
【００５２】
実施の形態の一例として、第８ｃ図は、本発明６のバネ１４，１４が耳朶５，５を付勢している保持体１０，１０を、矢印が示すように外側に引いて、耳朶５，５に当接している保持体１０，１０を耳朶５，５から離したことを示す斜視図である。このような構成により、保持体１０，１０を僅かに外側に動かして、簡単にモダンパーツ４，４を耳殻７，７から着脱することができる。
【実施例７】
【００５３】
本発明の請求項７記載のモダンパーツ（以下、本発明７と言う）は、前記耳朶拘束体８，８を前記フレーム１，１に対し、上下方向にスライド可能に取り付けてなることを特徴としている。
【００５４】
実施の形態の一例として、第９ａ図は、本発明７の耳朶拘束体８，８がモダンパーツ４，４に対してスライド可能に取り付けられていることを示す側面図であり、第９ｂ図は、耳朶拘束体８，８を下方に引き下げた状態を示している。これは耳朶拘束体８，８に設けた溝にフレーム１，１を摺動自在に挿入している。耳の大きさによって耳朶５，５の位置に合せることができる。
【００５５】
実施の形態の一例として、第９ｃ図、第９ｄ図は、本発明７の耳朶拘束体８，８にシュリンプチューブ２０，２０を取り付け、モダンパーツ４，４に対して上下方にスライドさせた状態を示している。耳の形状は人によって様々であり、その人に合致した耳朶拘束体８，８に交換可能になる。
【実施例８】
【００５６】
本発明の請求項８記載のモダンパーツ（以下、本発明８と言う）は、前記モダンパーツ４，４に、補聴器１６，１６，イヤホーン１７，１７，装飾品１８，１８が取り付け可能となっていることを特徴としている。
【００５７】
実施の形態の一例として、第１０ａ図は、本発明８のモダンパーツ４，４に補聴器１６，１６を取り付けた斜視図であり、第１０ｂ図は、イヤホーン１７，１７を取り付けた斜視図である。第１０ｃ図は、本発明８のモダンパーツ４，４に装飾品１８，１８を取り付けた斜視図である。この装飾品１８，１８によりモダンパーツ４，４の外観から見える部分を隠すことができる。第１０d図は、本発明８のモダンパーツ４，４に装飾品１８，１８を引っかけている斜視図である。イヤリング，ピアスの代わりにイヤーポイントとして装飾品１８，１８、宝飾品を取り付けてお洒落を楽しむことができる。
【００５８】
実施の形態の一例として、第１１ａ図は、本発明８のモダンパーツ４，４に装飾品１８，１８を着脱可能にするために耳朶拘束体８，８に取り付けている保持体１０，１０に２個のピン穴２６，２６を設け、装飾品１８，１８に取り付けた２本のピン２５，２５を差し込むようにいた説明図であり、第１１ｂ図は、本発明１のモダンパーツ４，４の耳朶拘束体８，８に装飾品１８，１８を取り付けた斜視図である。一個の耳朶拘束体８，８に２個のピン穴２６，２６を取り付け、多種類の装飾品１８，１８の裏面に２本のピン２５，２５を設け、このピン２５，２５を差し込むことにより、簡単に交換することができる。
【００５９】
実施の形態の一例として、第１１ｃ図は、第１１d図は、本発明８の装飾品１８，１８を取り付けた耳朶拘束体８，８が着脱可能にされていることを示す説明図である。耳朶拘束体８，８と装飾品１８，１８を一体にして製作することも可能であり、装着する人は多種類の耳朶拘束体８，８を収集して、季節、趣味によって交換することができる。
【実施例９】
【００６０】
本発明の請求項９記載のモダンパーツ（以下、本発明９と言う）は、請求項１乃至８の何れかの請求項に記載のモダンパーツ４，４が取り付けられてなる眼鏡であることを特徴としている。
【００６１】
実施の形態の一例として、第１乃至９図に示しているように、本発明９は作用効果のある眼鏡を製作することができる。日常装着している鼻パッド付眼鏡又は新製品の眼鏡にモダンパーツ４，４を取り付ける場合、メガネ店で予め角膜頂点間距離は調制されているので、同じ位置にテンプル２，２又はモダンパーツ４，４をスライドさせ、加熱によって収縮するシュリンクチューブ２０，２０で固定した後、鼻パッド、へ字状のモダン２２，２２を取り外すことにより、本発明９のモダンパーツ４，４を取り付けた新しい眼鏡に改良することができる。
【００６２】
本発明９で言う眼鏡は，老眼鏡，度付きメガネ，ＴＶ・映画用３Ｄメガネ，伊達メガネ，サングラス，風防メガネ，カメラ３７を取り付けたメガネ，拡大鏡を入れたメガネ，ライトを取り付けたメガネ，度数調整可能な液体レンズメガネ，剣道用メガネ，ウエアラブル機器１５を取り付けたメガネ，スクリーンに表示される画像を観察するための画像観察用メガネ，拡張現実（ＡＲ）機能を備えたメガネ，ヘッドバンドを取り付けた手術用メガネなどである。
【実施例１０】
【００６３】
本発明の請求項１０記載のモダンパーツ（以下、本発明１０と言う）は、前記眼鏡のテンプル２，２と接続された左右の前記モダンパーツ４，４が、前記フレーム１，１から前記耳朶拘束体８，８に至る部位で、眼鏡を装着する人の左右側頭骨１２，１２と左右乳様突起１３，１３とを左右から挟持する形状に形成されていることを特徴としている。
【００６４】
実施の形態の一例として、第１２ａ図は、側頭骨１２，１２と乳様突起１３，１３及び耳の耳殻７，７と外耳孔１９，１９の位置を示す頭蓋骨の後面斜視図である。耳殻７，７の上方に側頭骨１２，１２が位置し、耳殻７，７及び耳朶５，５の後方に乳様突起１３，１３が位置している。
【００６５】
実施の形態の一例として、第１２ｂ図は、本発明１０のモダンパーツ４，４を取り付けた眼鏡を掛けた人の後面図である。フレーム１，１を耳殻７，７の裏側の付け根に沿って延設し、左右の乳様突起１３，１３を挟持しながら下方に延設し、耳朶５，５の下端を包むように当接しながら前方に湾曲して、フレーム１，１の最終端に取り付けた保持体１０，１０と挟持ストッパー１１，１１が協働して耳朶５，５を挟持している。保持体１０，１０と挟持ストッパー１１，１１を連結している湾曲部９，９で形成されている耳朶拘束体８，８は縦断面が略Ｕ字状であり、耳朶５，５全体を下方から拘束することができるので、耳殻７，７の付け根の全周縁にモダンパーツ４，４を当接させて挟持することによって、しっかりと眼鏡を固定することができる。
【実施例１１】
【００６６】
本発明の請求項１１記載のモダンパーツ（以下、本発明１１と言う）は、デジタルカメラを使用して、請求項９に記載の前記眼鏡を装着する人の側頭部及び耳殻７，７をデータリングして前記眼鏡を装着する人の頭部の３Ｄイメージデータを形成し、該３Ｄイメージデータと予め製作しておいた仮想の前記眼鏡の３Ｄイメージデータとを合成させて前記眼鏡の３Ｄイメージを形状し、この３Ｄイメージに基づいて、眼鏡を装着する人の頭部に適合する眼鏡を製作する方法であることを特徴としている。
【００６７】
実施の形態の一例として、第１３図は、本発明１１のモダンパーツ４，４の製作方法を示した説明図である。Ｄスキャナー又はデジタルカメラを使用して、製作する人の頭部及び耳殻７，７をデータリングして、その３Ｄデータをモダンパーツ４，４製作可能なデータに変換させ、その頭部及び耳殻７，７のデータに、予め製作しておいた仮想のモダンパーツ４，４のデータを合成させ、その耳殻７，７にフィットさせて理想的な３Ｄイメージのモダンパーツ４，４形状を作成し、このモダンパーツ４，４のデータに基づいて、其々の人の耳の形状に合致したモダンパーツ４，４を３Ｄプリンターで簡単に製作できる。
【産業上の利用可能性】
【００６８】
以上のように、本発明のモダンパーツ４，４は、接続部２３，２３の後端に回動自在に設けたモダンパーツ４，４を、折り畳めることでコンパクトとなる。モダンパーツ４，４に取り付けた装飾品１８，１８により、前方から見た場合、耳朶拘束体８，８は隠れるので、ファッション性に優れた眼鏡である。モダンパーツ４，４で左右側頭骨１２，１２及び左右乳様突起１３，１３を挟持させ、湾曲部９，９で耳朶５，５を拘束することにより、長期間眼鏡を掛けていても確実に固定され、鼻の横に跡が付いたり、皮膚の色が変色したりする事がない。眼鏡のテンプル２，２に取り付け、実装感が良く、浮いた状態で安定して保持するモダンパーツ４，４として適している。
【符号の説明】
【００６９】
１    フレーム
２    テンプル
３    接続体
４    モダンパーツ
５    耳朶
６    固定具    
７    耳殻
８    耳朶拘束体
９    湾曲部
１０    保持体
１１    ストッパー
１２    側頭骨
１３    乳様突起
１４    バネ
１５    ヒンジ
１６    補聴器
１７    イヤホーン
１８    装飾品
１９    外耳孔
２０    シュリンクチューブ
２１    チューブ体
２２    モダン
２３    接続部
２４    接着剤
２５    ピン
２６    ピン穴  
【要約】
【課題】
【課題を解決するための手段】
フロント部が重たい眼鏡であっても、鼻パットに負担を掛けさせないモダンパーツ４，４と、そのモダンパーツ４，４が取り付けられた眼鏡を提供することを課題とする。
【解決手段】
本発明に係るモダンパーツ４，４は、眼鏡のテンプル２，２と接続されるフレーム１，１と、該フレーム１，１から耳殻７，７の外側付け根に沿うように湾曲して、その先端部で耳朶５，５を表裏から挟持する耳朶拘束部８，８と、前記フレーム１，１と前記テンプル２，２とを任意の位置で連結固定する接続体３，３とを備えたことを特徴とする。この接続体３，３としては、例えば、加熱によって収縮するシュリンクチューブ２０，２０又は樹脂チューブ２１又は金属を用いることができる。使用に際しては、その接続体３，３内に眼鏡のテンプル２，２とモダンパアーツ４，４のフレーム１，１の接続部２３，２３とを挿入して平行に重ね合わせ、互いに圧着固定させることができる構成である。【図１】
0005662616.tif 000002
【図２】
0005662616.tif 000003
【図３】
0005662616.tif 000004
【図４】
0005662616.tif 000005
【図５】
0005662616.tif 000006
【図６】
0005662616.tif 000007
【図７】
0005662616.tif 000008
【図８】
0005662616.tif 000009
【図９】
0005662616.tif 000010
【図１０】
0005662616.tif 000011
【図１１】
0005662616.tif 000012
【図１２】
0005662616.tif 000013
【図１３】
0005662616.tif 000014